(57)【要約】【課題】手間をかけずにイベントを記録する。【解決手段】ビデオカメラは様々な入力を行う操作部１１と、撮影を行う撮像部１４と、撮像部１４から得られる撮影データをハードディスク１７に記録する記録部１６と、日時を測定するＧＰＳ処理部１８とを備える。ビデオカメラはさらに操作部１１から入力される誕生日を起点として様々なイベントを含む標準イベントデータを作成してデータベースに登録し、少なくとも撮影の日時に基づいてデータベースに登録された標準イベントデータからイベントの候補を選定し、さらにこのイベントの候補を絞り込む推測を行って最適な１候補を撮影データに関連付けられたイベントとしてハードディスク１７に記録させるイベント情報処理部１２を備える。【選択図】    図１
2009016958.tif 000002
【特許請求の範囲】
【請求項１】
様々な入力を行う操作部と、撮影を行う撮像部と、前記撮像部から得られる撮影データを記録媒体に記録する記録部と、日時を測定する計時部と、前記操作部から入力される誕生日を起点として様々なイベントを含む標準イベントデータを作成してデータベースに登録し、少なくとも撮影の日時に基づいてデータベースに登録された標準イベントデータからイベントの候補を選定し、さらにイベントの候補を絞り込む推測を行って最適な１候補を前記撮影データに関連付けられたイベントとして前記記録媒体に記録させるイベント情報処理部を備えることを特徴とするビデオカメラ。
【請求項２】
前記計時部は撮影場所となる現在位置を測定するＧＰＳ処理部であることを特徴とする請求項１に記載のビデオカメラ。
【請求項３】
前記イベント情報処理部は前記ＧＰＳ処理部から得られる現在位置を前記イベントの候補を絞り込む推測に反映させるように構成される請求項２に記載のビデオカメラ。
【請求項４】
前記イベント情報処理部は前記イベントの候補をアイコンで表示させるように構成されることを特徴とする請求項１に記載のビデオカメラ。
【請求項５】
前記イベント情報処理部は前記操作部の操作により最適な候補を他のイベント候補に変更するように構成されることを特徴とする請求項１に記載のビデオカメラ。
【請求項６】
様々な入力を行う操作部と、撮影を行う撮像部と、前記撮像部から得られる撮影データを記録媒体に記録する記録部と、日時を測定する計時部とを備えるビデオカメラのイベント記録方法であって、前記操作部から入力される誕生日を起点として様々なイベントを含む標準イベントデータを作成してデータベースに登録し、少なくとも撮影の日時に基づいてデータベースに登録された標準イベントデータからイベントの候補を選定し、さらにイベントの候補を絞り込む推測を行って最適な１候補を前記撮影データに関連付けられたイベントとして前記記録媒体に記録させることを特徴とするイベント記録方法。
【請求項７】
前記計時部は撮影場所となる現在位置を測定するＧＰＳ処理部であり、前記現在位置を前記イベントの候補を絞り込む推測に反映させることを特徴とする請求項６に記載のイベント記録方法。
【請求項８】
前記イベントの候補をアイコンで表示させることを特徴とする請求項６に記載のイベント記録方法。
【請求項９】
前記操作部の操作により最適な候補を他のイベント候補に変更することを特徴とする請求項６に記載のイベント記録方法。
【発明の詳細な説明】
【技術分野】
【０００１】
本発明は、一般に時計機能を備えたビデオカメラに関し、特に撮影データに関連するイベントを記録するビデオカメラおよびイベント記録方法に関する。
【背景技術】
【０００２】
近年では、家庭用ビデオカメラの普及が著しく、撮影の繰返しにより得られた撮影データを全てハードディスクに収録して保持するタイプのものも登場している。多くのユーザは主に子供の成長を記録するためにビデオカメラを購入している。このため、ハードディスクをスピーディに検索して見たいシーンを再生できることが望まれている。
【０００３】
この検索を容易にするインデックスとして、従来においては、撮影時に、撮影データに日時やイベントを関連付けて記録することが提案されている（例えば特許文献１を参照）。また、ビデオカメラにＧＰＳ機能を持たせることによって撮影場所についても記録することが可能になっている。
【特許文献１】特開平９−９８３２３号公報
【発明の開示】
【発明が解決しようとする課題】
【０００４】
ところで、上述の日時や撮影場所については自動的に記録できるが、イベントについては、撮影データにイベント名を関連付けて記録するために再生画面を見ながら編集を行う必要がある。また、例えば運動会のように毎年行われるイベントであっても、撮影の都度イベントの記録を行う必要があった。ユーザはこのように手間のかかるイベントの記録をしない傾向にある。これに加え、ハードディスクは膨大な量の撮影データを保持できる。ユーザは見たいシーンの検索に時間をかける結果になっている。
【０００５】
本発明はこのような課題に鑑みてなされたものであり、手間をかけずにイベントを記録することができるビデオカメラおよびイベント記録方法を提供することを目的とする。
【課題を解決するための手段】
【０００６】
本発明の第１観点によれば、様々な入力を行う操作部と、撮影を行う撮像部と、撮像部から得られる撮影データを記録媒体に記録する記録部と、日時を測定する計時部と、操作部から入力される誕生日を起点として様々なイベントを含む標準イベントデータを作成してデータベースに登録し、少なくとも撮影の日時に基づいてデータベースに登録された標準イベントデータからイベントの候補を選定し、さらにこのイベントの候補を絞り込む推測を行って最適な１候補を撮影データに関連付けられたイベントとして記録媒体に記録させるイベント情報処理部を備えるビデオカメラが提供される。
【０００７】
本発明の第２観点によれば、様々な入力を行う操作部と、撮影を行う撮像部と、撮像部から得られる撮影データを記録媒体に記録する記録部と、日時を測定する計時部とを備えるビデオカメラのイベント記録方法であって、操作部から入力される誕生日を起点として様々なイベントを含む標準イベントデータを作成してデータベースに登録し、少なくとも撮影の日時に基づいてデータベースに登録された標準イベントデータからイベントの候補を選定し、さらにイベントの候補を絞り込む推測を行って最適な１候補を撮影データに関連付けられたイベントとして記録媒体に記録させるイベント記録方法が提供される。
【発明の効果】
【０００８】
これらビデオカメラおよびイベント記録方法では、様々なイベントを含む標準イベントデータが操作部から入力される誕生日を起点として作成され、データベースに登録される。イベントの候補は少なくとも撮影の日時に基づいてデータベースに登録された標準イベントデータから選定され、さらにイベントの候補を絞り込む推測を行うことにより最適な１候補が撮影データに関連付けられたイベントとして記録媒体に記録される。すなわち、手間をかけずにイベントを記録することができる。実際に記録されたイベントが不適切である場合もあるが、この場合には、ユーザはイベントの記録を必要に応じて修正すればよく、この修正を行わなくても不適切なイベントの割合は全体として少ないため、これによって見たいシーンを時間をかけずに発見することが困難になることはない。
【発明を実施するための最良の形態】
【０００９】
以下、本発明の一実施形態に係るビデかカメラについて添付図面を参照して説明する。
【００１０】
このビデオカメラは、子供の誕生日や居住地、特定地点、その他の様々な入力を行う操作部１１、イベント情報の処理を行うイベント情報処理部１２、イベント情報の処理に用いられるデータベースを保持するメモリ部１３、撮影を行う撮像部１４、撮影時に被写体の画像を表示すると共にイベントを含む様々な情報を表示する表示部１５、撮像部１４から得られる撮影データの記録を行う記録部１６、記録部１６によって記録される撮影データを蓄積する記録媒体であるハードディスク１７、撮影時の年月日および時刻を計時部として測定し、さらに撮影場所である現在位置と居住地との関係を調べる処理をＧＰＳ衛星からのＧＰＳ信号を利用して行うＧＰＳ処理部１８、およびＧＰＳ信号を受信するＧＰＳアンテナ１９を備える。イベント情報処理部１２は操作部１１から入力される誕生日を起点として様々なイベントを含む標準イベントデータを作成してデータベースに登録し、少なくとも撮影の日時および現在位置の各々に基づいてデータベースに登録された標準イベントデータからイベントの候補を選定し、さらに誕生日からの経過日数や居住地および撮影場所間の距離に基づいてイベントの候補を絞り込む推測を行って最適な１候補を撮影データに関連付けられたイベントとして記録媒体のハードディスク１７に記録させる。
【００１１】
図２は誕生日設定モードの処理を示す。この誕生日設定モードは操作部１１の操作により設定される。この処理が開始されると、イベント情報処理部１２がステップＳＴ１で誕生日の入力があるかチェックする。誕生日が入力されると、イベント情報処理部１２がステップＳＴ２でこの誕生日を起点として標準イベントデータを作成し、ステップＳＴ３でメモリ部１３に保持されるデータベースに登録する。メモリ部１３のデータベースでは、標準イベントデータが誕生日単位に管理される。様々なイベントは、子供の誕生日から子供の成長と共に発生する初参り、七五三、入園／入学式、運動会、卒園／卒業式、旅行等であり、いずれか１つを特定するためには撮影日時、撮影場所、居住地などとの関連を調べる必要がある。このようなイベントは表示部１５においてアイコンで表示される。このため、データベースには、これらイベント単位にアイコン画像データも登録されている。イベントやアイコン画像データは例えばインターネット上のウェブからコンピュータにダウンロードし、このコンピュータからビデオカメラにケーブル接続で転送することにより追加可能である。
【００１２】
図３は撮影モードの処理を示す。この処理が操作部１１の操作により開始されると、ステップＳＴ１１でイベント情報処理部１２が日時情報（年月日、時刻）および位置情報（現在位置、居住地）を取得し、ステップＳＴ１２で取得情報をデータベース内の標準イベントデータと照合してイベント候補を選定し、ステップＳＴ１３でイベント候補の絞り込みにより最適なイベントを推測する。これにより最適な１候補が決定すると、ステップＳＴ１４でこのイベントが表示部１５にアイコンで表示される。ステップＳＴ１５〜ＳＴ１７が繰返し実行される。ステップＳＴ１５はイベントを変更するかどうかをチェックするために実行され、ステップＳＴ１６は撮影開始かどうかをチェックするために実行され、ステップＳＴ１７は撮影モードを終了するかどうかをチェックするために実行される。操作部１１によりイベント変更の操作が行われると、これがステップＳＴ１５で検出され、ステップＳＴ１８でイベントが次候補に変更され、再びステップＳＴ１４が実行される。また、撮影開始がステップＳＴ１６で検出されると、現在選定されているイベントがステップＳＴ１９でハードディスク１７に記録され、ステップＳＴ２０でこのイベントに関連付けて撮影データがハードディスク１７に記録される。ここで、イベントと撮影データとが互いに関連付けられれば、ステップＳＴ１９およびＳＴ２０は実行順序を逆にしてもよい。撮影の終了がステップＳＴ２１で検出されると、撮影モードの処理が終了する。また、ステップＳＴ１７で撮影モードの終了が検出された場合も同様に撮影モードの処理が終了する。
【００１３】
図４はイベント設定モードの処理を示す。イベント設定モードは撮影データが既にハードディスク１７に格納されている場合に利用される。イベント設定モードの処理が操作部１１の操作により開始されると、ステップＳＴ３１で撮影データの選択が操作部１１を利用して行われる。これによりイベント設定の対象が決定すると、イベント情報処理部１２はステップＳＴ３２で日時情報（年月日、時刻）および位置情報（現在位置、居住地）を取得し、ステップＳＴ３３で取得情報をデータベース内の標準イベントデータと照合してイベント候補を選定し、ステップＳＴ３４でイベント候補の絞り込みにより最適なイベントを推測する。これにより最適な１候補が決定すると、ステップＳＴ３５でこのイベントが表示部１５にアイコンで表示される。この後、ステップＳＴ３６でイベント変更を行うかどうかチェックされる。イベント変更がなければ、ステップＳＴ３８でイベントが選択した撮影データに対して記録され、これに続いてイベント設定モードが終了する。また、操作部１１の操作によるイベント変更がステップＳＴ３６で検出されると、ステップＳＴ３７でイベントが次候補に変更され、再びステップＳＴ３５が実行される。
【００１４】
本実施形態では、撮影日が例えば誕生日周辺であった場合に、誕生日イベントがデータベースに登録された標準イベントデータに含まれる様々なイベントのうちから最適な１候補として推測される。また、子供が成長し、学校へ入学できる年齢の４月が撮影日、撮影場所が居住地の近隣の学校であった場合には、入学式イベントが最適な１候補として推測される。このとき、「入学式ですか？」というメッセージをアイコンに代る画像として表示させても良い。子供が春休み、夏休み、冬休みに当る時期に居住地から離れた場所で撮影を行う場合には、旅行イベントがイベント候補のうちの１つにあがるが、この場所が親の帰郷場所であり、ここを特定地点として登録した場合には、次回から帰郷先イベントとして最適な１候補に推測されるようになる。このようにＧＰＳ信号から撮影場所の位置情報と撮影日時、子供の誕生日等を選択的に組み合わせることにより子供の成長に伴う様々なイベントのうちの１つを的確に推測できる。
【００１５】
以上のように、このビデオカメラでは、様々なイベントを含む標準イベントデータが操作部１１から入力される誕生日を起点として作成され、データベースに登録される。イベントの候補は少なくとも撮影の日時に基づいてデータベースに登録された標準イベントデータから選定され、さらにイベントの候補を絞り込む推測を行うことにより最適な１候補が撮影データに関連付けられたイベントとして記録媒体のハードディスク１７に記録される。すなわち、手間をかけずにイベントを記録することができる。実際に記録されたイベントが不適切である場合もあるが、この場合には、ユーザはイベントの記録を必要に応じて修正すればよく、この修正を行わなくても不適切なイベントの割合は全体として少ないため、これによって時間をかけずに見たいシーンを発見することが困難になることはない。
【００１６】
尚、本発明は上述の実施形態に限定されず、その要旨を逸脱しない範囲で様々に変形可能である。
【００１７】
図３のステップＳＴ１８または図４のステップＳＴ３７で”その他”という候補を選択できるようにして、明らかに間違った記録を避けるようにしても良い。また、この場合に対話形式でイベントの変更を行っても良い。さらに、この場合、子供の成長記録以外の標準イベントデータを新規に作成してデータベースに登録しても良い。
【００１８】
居住地の位置情報から近隣の幼稚園、学校等の施設位置情報は、イベントやアイコンのダウンロードと同様の形式でメモリ部１３に登録可能である。
【００１９】
上述の実施形態では、ＧＰＳ処理部１０が位置情報および日時情報を取得するために設けられたが、位置情報を省略する場合にはＧＰＳ処理部１０の代りに日時を測定する計時部を設けても良い。この際、計時部は電波時計のような構成であっても良い。
【図面の簡単な説明】
【００２０】
【図１】本発明の一実施形態に係るビデオカメラの回路構成を示す図である。
【図２】図１に示すイベント情報処理部によって行われる誕生日設定モードの処理を示す図である。
【図３】図１に示すイベント情報処理部によって行われる撮影モードの処理を示す図である。
【図４】図１に示すイベント情報処理部によって行われるイベント設定モードの処理を示す図である。
【符号の説明】
【００２１】
１１…操作部、１２…イベント情報処理部、１３…メモリ部、１４…撮像部、１５…表示部、１６…記録部、１７…ハードディスク、１８…ＧＰＳ処理部、１９…ＧＰＳアンテナ。
【図１】
2009016958.tif 000003
【図２】
2009016958.tif 000004
【図３】
2009016958.tif 000005
【図４】
2009016958.tif 000006